(57)【要約】【課題】通信環境等に影響されることなく、確実にサスペンド状態への切り替えを行うことができる技術を提供する。【解決手段】ネットワーク電子端末１０は、システムの動作を制御するＣＰＵ１２と、無線でネットワーク通信を行う無線ＬＡＮモジュール２０とを備える。ＣＰＵ１２がシステムをサスペンド状態にしている間、無線ＬＡＮモジュール２０が自己のＩＰアドレスを含むパケットを受信すると、ＣＰＵ１２はシステムをレジュームする。この後、ＣＰＵ１２は所定時間内に所望のパケットを受信したことが確認できなければ、再びシステムをサスペンド状態に移行させる。【選択図】図１
2010021605.tif 000002
【特許請求の範囲】
【請求項１】
所定のネットワークに接続した状態でユーザに利用されるネットワーク電子端末であって、
ユーザによる利用時の動作を制御する制御部と、
前記ネットワーク上に設けられた無線アクセスポイントとの間で無線通信を行う無線ネットワーク通信部と、
前記制御部がユーザによる利用時の動作を停止させて消費電力を抑えたサスペンド状態に移行している間に前記無線ネットワーク通信部が所定のデータを含むパケットを受信すると、前記制御部に対して前記サスペンド状態からの復帰を指示する復帰指示手段とを備え、
前記制御部は、
前記サスペンド状態からの復帰を行った後に前記無線ネットワーク通信部が特定のデータを含むパケットを受信しなかった場合、前記サスペンド状態に移行させることを特徴とするネットワーク電子端末。
【請求項２】
請求項１に記載のネットワーク電子端末において、
前記所定のデータは、
前記ネットワーク上で個体を識別するためのＩＰアドレスを表すものであり、
前記特定のデータは、
前記制御部に対して前記サスペンド状態への移行を行わない旨の指示を表すものであることを特徴とするネットワーク電子端末。
【請求項３】
請求項１又は２に記載のネットワーク電子端末において、
前記特定のデータは、
前記無線ネットワーク通信部が受信するパケットのうちＵＤＰのデータ領域に設定されていることを特徴とするネットワーク電子端末。
【請求項４】
請求項１から３のいずれかに記載のネットワーク電子端末において、
前記制御部は、
前記サスペンド状態からの復帰後、所定時間が経過するまでの間に前記無線ネットワーク通信部が特定のデータを含むパケットを受信しなかった場合、前記サスペンド状態に移行させることを特徴とするネットワーク電子端末。
【請求項５】
所定のネットワークに接続した状態でユーザによる利用時の動作を制御する制御部と、前記ネットワーク上に設けられた無線アクセスポイントとの間で無線通信を行う無線ネットワーク通信部とを備えたネットワーク電子端末の電力制御方法であって、
前記制御部により前記ネットワーク電子端末を消費電力が抑えられたサスペンド状態に移行させる工程と、
前記ネットワーク通信部が所定のデータを含むパケットを受信すると、前記制御部により前記ネットワーク電子端末を前記サスペンド状態から復帰させる工程と、
前記サスペンド状態からの復帰後に前記ネットワーク通信部が特定のデータを含むパケットを受信したか否かを確認する工程と、
前記ネットワーク通信部が前記特定のデータを受信しなかった場合、前記制御部により前記ネットワーク電子端末を前記サスペンド状態に移行させる工程と
を有するネットワーク電子端末の電力制御方法。
【請求項６】
請求項５に記載のネットワーク電子端末の電力制御方法において、
前記所定のデータは、
前記ネットワーク上で前記ネットワーク電子端末の個体を識別するためのＩＰアドレスを表すものであり、
前記特定のデータは、
前記ネットワーク電子端末を前記サスペンド状態へ移行させない旨の指示を表すものであることを特徴とするネットワーク電子端末の電力制御方法。
【請求項７】
請求項５又は６に記載のネットワーク電子端末の電力制御方法において、
前記特定のデータは、
前記ネットワーク通信部が受信するパケットのうちＵＤＰのデータ領域に設定されていることを特徴とするネットワーク電子端末の電力制御方法。
【請求項８】
請求項５から７のいずれかに記載のネットワーク電子端末の電力制御方法において、
前記パケットを受信したか否かを確認する工程では、前記サスペンド状態からの復帰後、所定時間が経過するまでの間に前記ネットワーク通信部が前記特定のデータを含むパケットを受信したか否かを確認することを特徴とするネットワーク電子端末の電力制御方法。
【発明の詳細な説明】
【技術分野】
【０００１】
本発明は、ネットワークに無線で接続されたネットワーク電子端末に係り、特にその消費電力の抑制を図るための構成及び電力制御方法に関する。
【背景技術】
【０００２】
従来、サスペンド状態にある端末が遠隔操作（ＷＯＬ）でレジュームされた際、その端末が使用されない場合に電力消費が無駄になるのを防止する先行技術が知られている（例えば、特許文献１参照。）。この先行技術では、サスペンド状態からの稼動の復帰を指示するマジックパケットをネットワークから受信すると、端末をサスペンド状態から復帰させ、そのときの復帰の要因をメモリに記録する。そして、復帰後に受信した通信要求に対してキャンセル信号を受信すると、復帰の要因がマジックパケットの受信によるものであり、かつ、その復帰後にキャンセル信号を受信した場合は端末をもう一度サスペンド状態に切り替える。
【０００３】
上記の先行技術によれば、遠隔操作によりサスペンド状態から復帰した端末がユーザに操作されないまま稼働し続けるのを防止できるため、それだけ消費電力を抑えることができると考えられる。
【特許文献１】特開２００７−１１５０２２号公報
【発明の開示】
【発明が解決しようとする課題】
【０００４】
しかしながら、先行技術ではレジューム後にキャンセル信号の受信を確認して初めてサスペンド状態に切り替えているため、例えば呼び出し側の端末の不具合等でキャンセル信号を送信できなかったり、たとえキャンセル信号が正常に送信されていても、通信状況の悪化等で受信側の端末がキャンセル信号を受信できなかったりした場合は端末をサスペンド状態に切り替えることができない。このような状況にあっては、ユーザに操作されない端末が稼働状態のまま放置されてしまうことになるため、結果的に無駄に電力を消費してしまうことになる。
【０００５】
そこで本発明は、通信環境等に影響されることなく、確実にサスペンド状態への切り替えを行うことができる技術の提供を課題とする。
【課題を解決するための手段】
【０００６】
上記の課題を解決するため、本発明は以下の解決手段を採用する。
本発明は、所定のネットワークに接続した状態でユーザに利用されるネットワーク電子端末であり、ユーザによる利用時の動作を制御する制御部と、ネットワーク上に設けられた無線アクセスポイントとの間で無線通信を行う無線ネットワーク通信部と、制御部がユーザによる利用時の動作を停止させて消費電力を抑えたサスペンド状態に移行している間に無線ネットワーク通信部が所定のデータを含むパケットを受信すると、制御部に対してサスペンド状態からの復帰を指示する復帰指示手段とを備える。そして制御部は、サスペンド状態からの復帰を行った後に無線ネットワーク通信部が特定のデータを含むパケットを受信しなかった場合、サスペンド状態に移行させることを特徴とするものである。
【０００７】
上記のように本発明のネットワーク電子端末は、サスペンド状態から復帰しても、ネットワークを通じて特定のデータを含むパケットを受信しなければ、速やかにサスペンド状態に移行することができる。このため、未使用時にネットワーク経由でサスペンド状態からレジューム（復帰）させられたとしても、その後に明確な使用の予定や意思が確認できない場合は、それ以上の消費電力を抑えることができる。しかも、本発明ではサスペンド状態への移行に際してキャンセル信号等の受信を条件としていないため、そのときの通信状況に左右されることなく、未使用の端末を速やかにサスペンド状態に移行させることができる。このため、未使用の端末が電力を無駄に消費したまま放置されることがなく、ネットワーク内での消費電力の抑制に大きく寄与することができる。
【０００８】
本発明において、サスペンド状態からの復帰時に受信する所定のデータは、ネットワーク上で個体を識別するためのＩＰアドレスを表すものであり、またサスペンド状態からの復帰後に受信する特定のデータは、制御部に対してサスペンド状態への移行を行わない旨の指示を表すものである。
【０００９】
例えば、本発明のネットワーク電子端末を複数用意し、これらを同じネットワークに接続した場合を想定する。この場合、サスペンド状態に移行している電子端末は、自己に向けられたＩＰアドレスを受信しない限りサスペンド状態から復帰することはないので、不用意に電子端末のレジュームが行われるのを防止することができる。一方、たとえＩＰアドレスを受信してサスペンド状態から復帰した場合であっても、その後に特定のデータを受信できなければ、その電子端末はサスペンド状態に移行するので、やはり無駄な消費電力を抑えることができる。また、不特定多数向けのＩＰアドレスを指定したネットワーク通信が行われた場合、使用の予定がない電子端末についてもサスペンド状態からの復帰が行われることになるが、この場合についても、復帰後に特定のデータを受信しなかった電子端末は再びサスペンド状態に移行するので、未使用の電子端末がレジュームしたまま放置されることはない。
【００１０】
なお、特定のデータは、無線ネットワーク通信部が受信するパケットのうちＵＤＰ（Ｕｓｅｒ  Ｄａｔａｇｒａｍ  Ｐｒｏｔｏｃｏｌ）のデータ領域に設定されていることが好ましい。この場合、ネットワーク内で特定のデータをより高速に送受信することができるので、サスペンド状態から復帰させる必要のある電子端末を確実にレジュームさせておくことができる。
【００１１】
またネットワーク電子端末の制御部は、サスペンド状態からの復帰後、所定時間が経過するまでの間に無線ネットワーク通信部が特定のデータを含むパケットを受信しなかった場合、サスペンド状態に移行させることが好ましい。
【００１２】
このような態様であれば、使用予定のない電子端末が所定時間を超えてレジュームしたまま放置されることがないので、より正確に消費電力の管理を行うことができる。
【００１３】
また本発明は、ネットワーク電子端末の電力制御方法を提供する。本発明の電力制御方法は、所定のネットワークに接続した状態でユーザによる利用時の動作を制御する制御部と、ネットワーク上に設けられた無線アクセスポイントとの間で無線通信を行う無線ネットワーク通信部とを備えたネットワーク電子端末の電力制御方法であって、以下の工程を有する。
【００１４】
（１）サスペンド実行工程
この工程では、制御部によりネットワーク電子端末を消費電力が抑えられたサスペンド状態に移行させる処理が行われる。なお、最初にサスペンド状態に移行するための条件は、未使用の状態がある程度の時間にわたって継続したこと等である。
【００１５】
（２）レジューム工程
この工程では、サスペンド状態でネットワーク通信部が所定のデータを含むパケットを受信すると、制御部によりネットワーク電子端末をサスペンド状態から復帰させる処理が行われる。
【００１６】
（３）受信確認工程
この工程では、サスペンド状態からの復帰後にネットワーク通信部が特定のデータを含むパケットを受信したか否かを確認する。
【００１７】
（４）サスペンド移行工程
この工程では、上記（３）の工程において確認した結果、ネットワーク通信部が特定のデータを受信しなかった場合、制御部によりネットワーク電子端末をサスペンド状態に移行させる処理が行われる。
【００１８】
以上の工程（１）〜（４）をネットワーク電子端末において実行することにより、未使用時の無駄な電力消費を確実に抑えることができる。
【００１９】
なお、上記（２）のレジューム工程で受信する所定のデータは、ネットワーク上でネットワーク電子端末の個体を識別するためのＩＰアドレスを表すものである。また上記（３）の受信確認工程で受信を確認する特定のデータは、ネットワーク電子端末をサスペンド状態へ移行させない旨の指示を表すものである。
【００２０】
これにより、上記（２）のレジューム工程では、自己に向けられたＩＰアドレスを受信しない限り電子端末がサスペンド状態から復帰することはないので、不用意にレジュームを実行するのを防止することができる。また、不特定多数向けのＩＰアドレスを指定したネットワーク通信が行われた場合であっても、上記（３）の工程で特定のデータを受信しなかった場合、その電子端末は上記（４）の工程を経て再びサスペンド状態に移行するので、未使用の電子端末がレジュームしたまま放置されることはない。
【００２１】
また特定のデータは、ネットワーク通信部が受信するパケットのうちＵＤＰのデータ領域に設定されていることが好ましい。この場合、上述したように特定のデータをより高速に送受信することができるので、上記（３）の工程で特定のデータを受信したか否かを確実に確認することができる。
【００２２】
さらに上記（３）の工程では、サスペンド状態からの復帰後、所定時間が経過するまでの間にネットワーク通信部が特定のデータを含むパケットを受信したか否かを確認することが好ましい。
【００２３】
このような態様であれば、所定時間を超えて不用意に電子端末がレジュームしたまま待機し続けることがなく、その消費電力の管理を正確に行うことができる。
【発明の効果】
【００２４】
以上のように本発明によれば、ネットワーク内にある電子端末のレジュームがある程度の頻度で行われた場合であっても、明確な使用の予定がない電子端末を確実にサスペンド状態にしておくことができる。このため、ネットワーク内での全体的な消費電力を少なく抑えることができる。
【発明を実施するための最良の形態】
【００２５】
以下、本発明の実施形態について図面を参照しながら説明する。
【００２６】
図１は、一実施形態のネットワーク電子端末１０の構成を概略的に示す図である。ネットワーク電子端末１０は、例えばパーソナルコンピュータ等の電子機器であり、ネットワーク内ではクライアントとしてユーザに利用可能である。電子端末１０は、ＣＰＵ１２をはじめＲＯＭやＲＡＭ等のメモリ１４、ハードディスク等の記憶装置１６を備えるほか、図示しないディスプレイ（表示装置）やキーボード、マウス等の入力デバイスを有している。このため電子端末１０には、表示制御部１８や図示しないユーザインタフェース等が内蔵されている。なお表示制御部１８は図示しないディスプレイを駆動し、その表示内容を具体的に制御する。
【００２７】
また電子端末１０は、ネットワークアダプタとして無線ＬＡＮモジュール２０を内蔵しており、この無線ＬＡＮモジュール２０を用いて無線ＬＡＮアクセスポイント２２との間で無線通信を行うことができる。なおアクセスポイント２２には、例えばＬＡＮケーブルを介して他の電子端末（パーソナルコンピュータ）２４が接続されている。
【００２８】
その他に電子端末１０は、電源部２６を内蔵している。電源部２６は、図示しないＡ／Ｃ電源から取り込んだ電力を変換してＤ／Ｃ電源（例えば＋１２Ｖ、＋５Ｖ等）を生成し、これを電子端末１０内の各部に供給している。
【００２９】
〔制御部〕
上記のＣＰＵ１２は、メモリ１４及び記憶装置１６を用いて電子端末１０の動作を制御するとともに、表示制御部１８に対して表示信号を出力し、現在の処理内容（例えばアプリケーションの動作）を画像としてユーザに提供する。またＣＰＵ１２は、無線ＬＡＮモジュール２０との間で制御信号及びデータをやり取りし、電子端末１０によるネットワーク通信を制御している。
【００３０】
〔ネットワーク通信部〕
無線ＬＡＮモジュール２０は、例えば無線ＬＡＮ  ＩＣ２０ａとともにアンテナ２０ｂ、図示しないフィルタ（ＢＰＦ）、アンテナスイッチ、アンプ（ＰＡ、ＬＮＡ）、変換器（Ｂａｌｕｎ）、ベースバンド回路等を組み込んだチップ部品である。また無線ＬＡＮモジュール２０には、例えば半導体メモリの記憶領域に記録されたファームウェア（Ｆ／Ｗ）２０ｃを有しており、無線ＬＡＮ  ＩＣ２０ａは、ファームウェア２０ｃに基づいて無線通信プログラムを実行する。
【００３１】
〔サスペンド状態への移行〕
また電子端末１０の動作を制御するＣＰＵ１２は、予め設定された条件に基づいて、電子端末１０の消費電力を抑えたサスペンド状態への移行を管理している。このときの設定条件としては、例えば「ユーザによる操作がなされない状態が一定時間継続したこと」を挙げることができ、ＣＰＵ１２はユーザインタフェースから割り込み信号が入力されないまま一定時間（数分〜数十分程度）が経過すると、電子端末１０をサスペンド状態に移行させる処理（システムサスペンド）を実行する。なお、このようなサスペンド処理は、例えば記憶装置１６に記憶されたオペレーティングシステム（ＯＳ）の一部に組み込まれている。
【００３２】
〔サスペンド中処理〕
電子端末１０がサスペンド状態に移行している間も、無線ＬＡＮモジュール２０の無線ＬＡＮ  ＩＣ２０ａは引き続き稼働し、例えば以下のサスペンド中処理を実行する。図２は、無線ＬＡＮ  ＩＣ２０ａが実行するサスペンド中処理の手順例を示すフローチャートである。以下、手順例に沿って説明する。
【００３３】
ステップＳ１０：無線ＬＡＮ  ＩＣ２０ａは、ＩＰアドレスの受信を監視する。具体的には、上記のアクセスポイント２２との間で周期的にパケット通信を行い、自己の電子端末１０に割り当てられたＩＰアドレスを含むパケットを受信したか否かを判断する。
【００３４】
特に自己のＩＰアドレスが含まれるパケット受信していなければ（ステップＳ１０：Ｎｏ）、無線ＬＡＮ  ＩＣ２０ａは引き続きＩＰアドレスの受信を監視する。これに対し、自己の電子端末１０に割り当てられたＩＰアドレスを受信した場合（ステップＳ１０：Ｙｅｓ）、無線ＬＡＮ  ＩＣ２０ａは次のステップＳ１２を実行する。
【００３５】
ステップＳ１２：無線ＬＡＮ  ＩＣ２０ａは、ＣＰＵ１２に対して割り込み信号を出力する。この割り込み信号は、ＣＰＵ１２に対するサスペンド状態からの復帰（レジューム）を指示するためのトリガ（外部割り込み信号）となる。以上の手順を終えると、無線ＬＡＮ  ＩＣ２０ａはサスペンド中処理を終了し、図示しない定常処理に復帰する。定常処理に復帰すると、無線ＬＡＮ  ＩＣ２０ａは定期的にアクセスポイント２２との間で無線通信を実行し、他の電子端末２４から自己の電子端末１０に向けて送信されたパケットの有無を監視する。
【００３６】
〔レジューム管理処理〕
一方でＣＰＵ１２は、無線ＬＡＮモジュール２０（無線ＬＡＮ  ＩＣ２０ａ）から上記の割り込み信号が入力されると、以下の処理を実行する。図３は、ＣＰＵ１２により実行されるレジューム管理処理の手順例を示すフローチャートである。ＣＰＵ１２は、サスペンド状態からの復帰時に以下のレジューム管理処理を実行し、電子端末１０をレジュームのまま継続したり、再度サスペンド状態に移行させたりする。以下、手順例に沿って説明する。
【００３７】
ステップＳ２０：先ずＣＰＵ１２は、レジューム実行処理を行う。この定義済み処理では、電子端末１０をサスペンドする前の状態に復帰させるための各種制御が行われる。なお、復帰（レジューム）に必要な情報は、例えばメモリ１４のバックアップ領域に保存されており、ＣＰＵ１２はバックアップ情報に基づいて電子端末１０をサスペンド前の状態に復帰させる。
【００３８】
ステップＳ２２：レジューム実行処理を終えると、次にＣＰＵ１２はタイマをスタートさせる。このときタイマカウンタの初期値は、例えばレジューム後に待機する所定時間（例えば１秒）にセットされ、この後、時間の経過に伴ってカウンタ値は減算されていく。なおタイマカウンタには、例えばＣＰＵ１２に内蔵されているレジスタを使用することができる。
【００３９】
ステップＳ２４：続いてＣＰＵ１２は、レジューム後に所定時間（１秒）が経過したか否かを確認する。具体的には、ＣＰＵ１２はタイマカウンタの残存値が０以下であるか否かを判断し、未だ残存値が０より大きければ（Ｎｏ）、ＣＰＵ１２は次にステップＳ２６に進む。
【００４０】
ステップＳ２６：次にＣＰＵ１２は、ネットワークを通じて自己の電子端末１０に対するサスペンド不可（サスペンド状態に移行しない旨の指示）を表すパケットを受信したか否かを確認する。例えば、ネットワーク上の他の電子端末２４が特定の電子端末１０をレジューム後のターゲット（例えば、何らかのデータをやり取りする対象）としている場合、当該他の電子端末２４からは、ターゲットとする電子端末１０のＩＰアドレスとともに、サスペンド不可を表すデータを含む所望のパケットが送信される。特にこのような所望のパケットを受信していなければ（Ｎｏ）、ＣＰＵ１２は次のステップＳ２８を実行する。
【００４１】
ステップＳ２８：ＣＰＵ１２は、その他のパケットを受信したか否かを確認する。その他のパケットは、上述した所望のパケットとは別のパケットであり、例えばＩＰアドレスを指定して電子端末１０に送信されたデータ（メール文書等）が該当する。特にその他のパケットを受信していなければ（Ｎｏ）、ＣＰＵ１２は上記のステップＳ２４に戻り、引き続きタイマカウンタの値を確認する。
【００４２】
この後、上述した所望のパケット及びその他のパケットのいずれも受信することなく１秒が経過すると（ステップＳ２４：Ｙｅｓ）、ＣＰＵ１２は次にステップＳ３２を実行する。
【００４３】
ステップＳ３２：すなわちＣＰＵ１２は、サスペンド実行処理を実行する。この処理は、先に説明したように電子端末１０をサスペンド状態に移行させる定義済み処理に該当するものである。これにより、電子端末１０は再びサスペンド状態に移行するので、この後の電力消費が有効に抑えられる。
【００４４】
これに対し、レジューム後から１秒が経過するまでの間に所望のパケットを受信するか（ステップＳ２６：Ｙｅｓ）、もしくはその他のパケットを受信した場合（ステップＳ２８：Ｙｅｓ）、ＣＰＵ１２はステップＳ３０に進む。
【００４５】
ステップＳ３０：ＣＰＵ１２は、現在のレジューム状態を継続する。これにより、ネットワーク上の他の電子端末２４から自己の電子端末１０がターゲットシステムとされた場合の応答を迅速化することができる。あるいは、自己の電子端末１０に向けて文書データ等が送信されてきた場合、その受信を確実に行うことができ、通信エラー等の事態が生じるのを確実に防止することができる。以上の処理を終えると、ＣＰＵ１２はレジューム管理処理を終了し、定常処理に復帰する。
【００４６】
〔パケット構成〕
図４は、ネットワーク上で送受信されるパケットの構造例を示す概略図である。パケットを構成する送信フレーム３０は、先頭ビットから始まるヘッダ３０ａ，３０ｂ，３０ｃと末尾のパリティ３０ｅとの間に、データ３０ｄが挟み込まれた構造（バイナリデータ）となっている。
【００４７】
このうち先頭のヘッダ３０ａは、無線ＬＡＮモジュール２０においてＲＦ回路を安定化させ、確実にＲＦ回路を無線ＬＡＮ（ＲＦ）信号に同期させるためのプリアンブルである。次のヘッダ３０ｂは、例えば電子端末１０のＩＰアドレスを表すものであり、その次のヘッダ３０ｃは、送信フレーム３０内での実データ（データ３０ｄ）の開始を表すものである。そしてデータ３０ｄには、上述した電子端末１０に対する「サスペンド不可」、つまり「サスペンド状態に移行しない旨の指示」を表すコード（例えば”００  ０１  ０２  ０３  ０４  ０５  ０６  ０７  ０８  ０９・・・”）が記述されている。このような送信フレーム３０には、ネットワークプロトコルとしてＵＤＰ（Ｕｓｅｒ  Ｄａｔａｇｒａｍ  Ｐｒｏｔｏｃｏｌ）が用いられている。
【００４８】
送信フレーム３０にＵＤＰを用いることで、他の電子端末２４からターゲットシステムとなる電子端末１０へのパケットの送信をより高速化することができる。これにより、レジューム後の所定時間（１秒）以内にターゲットシステムを確実にサスペンド不可にすることができるので、その後に電子端末１０が迅速に利用可能となる。
【００４９】
上述した一実施形態のネットワーク電子端末１０によれば、サスペンド状態からの復帰後、自己がターゲットシステムであることを確認できた場合にのみレジューム状態が維持され、その他の場合は所定時間（ここでは１秒）経過後に自動的にサスペンド状態に移行する。このため、例えばブロードキャストで自己のＩＰアドレスを指定された場合のように、その後の利用が明確に予定されていない場合は速やかにサスペンド状態に移行することができるので、それだけ消費電力を少なく抑えることができる。
【００５０】
また、レジューム後のサスペンド状態への移行は他からの信号（レジュームキャンセル信号、サスペンド移行信号）を待って行うのではなく、自己の判断だけで行うことができるので、無線通信の状況に左右されることなく、確実にサスペンド状態への移行を行うことができる。
【００５１】
本発明は上述した実施形態に制約されることなく、各種の変形を伴って実施することができる。一実施形態では、ネットワーク上の他の電子端末２４から所望のパケットが送信される場合を例に挙げているが、例えば図示しない管理サーバから所望のパケットが送信されてきた場合にも同様の処理を適用することができる。
【図面の簡単な説明】
【００５２】
【図１】一実施形態のネットワーク電子端末の構成を概略的に示す図である。
【図２】無線ＬＡＮ  ＩＣが実行するサスペンド中処理の手順例を示すフローチャートである。
【図３】ＣＰＵにより実行されるレジューム管理処理の手順例を示すフローチャートである。
【図４】ネットワーク上で送受信されるパケットの構造例を示す概略図である。
【符号の説明】
【００５３】
１０    ネットワーク電子端末
１２    ＣＰＵ
２０    無線ＬＡＮモジュール
２２    アクセスポイント
【図１】
2010021605.tif 000003
【図２】
2010021605.tif 000004
【図３】
2010021605.tif 000005
【図４】
2010021605.tif 000006